(57)【要約】【課題】  分岐管を設けたことによる重量の増加に伴う変形を防止し、かつ、軽量なダクト本体を実現する。また、当該ダクト本体を組み合わせることで、空気調和システムの構築において、任意の位置に吹出口を設けることができるとともに、設置場所を選ばずに設置することが可能な空調ダクトを提供する。【解決手段】  ダクト本体１０は、気流を通気する主管２０と、主管２０内の気流を分岐するため該主管２０の側面に接続された分岐管３０と、主管２０及び分岐管３０に内挿される補強具４０と、を備えるものであり、補強具４０は、主管２０の内周面に当接する主管補強部材４１と、分岐管３０の内周面に当接する分岐管補強部材４３と、主管補強部材４１と分岐管補強部材４３を連結する継手部材４２と、からなるものである。【選択図】  図１
0003227519.tif 000002
【実用新案登録請求の範囲】
【請求項１】
気流を通気する主管と、前記主管の側面に接続された分岐管と、前記主管及び前記分岐管に内挿される補強具と、を備えてなり、
前記補強具は、前記主管の内周面に当接する主管補強部材と、前記分岐管の内周面に当接する分岐管補強部材と、前記主管補強部材及び前記分岐管補強部材を連結する継手部材と、からなることを特徴とするダクト本体。
【請求項２】
主管補強部材は、主管の分岐用開孔部周辺の内周面に当接する当接部と、主管の内周面に当接する２つの円環状の環状部を有することを特徴とする請求項１記載のダクト本体。
【請求項３】
継手部材は、両端に開孔部を備えた短筒状であり、その一端の開孔部周辺から中心軸方向に突設された複数の突片を有することを特徴とする請求項１に記載のダクト本体。
【請求項４】
分岐管補強部材は、両端に開孔部を備えた長筒状であり、その一端に風向風量調整部を有することを特徴とする請求項１ないし３のいずれか一項に記載のダクト本体。
【請求項５】
請求項１ないし４のいずれか一項に記載のダクト本体を複数連結してなることを特徴とする空調ダクト。
【考案の詳細な説明】
【技術分野】
【０００１】
本考案は、空調ダクト内の気流を分岐するためダクト本体及びそれを用いた空調ダクトに関する。
【背景技術】
【０００２】
従来、ビルなどの建物内の空気調和を行う空調システムの構築において、天井裏や壁内部等の空間にフレキシブルダクトが複数配設され、各フレキシブルダクト間には気流の合流や分岐をするためにフレキシブルダクトの端部に接続するチャンバ等が用いられている。また、フレキシブルダクトの端部以外の箇所で気流の分岐を設ける場合には、フレキシブルダクトの外周面を切り欠いて開口させ、その開口周辺をフレキシブルダクトの内周面及び外周面から挟み込むように固定する固定部材を備えた種々の分岐管（例えばチーズ３（特許文献１）、分岐管部材３０（特許文献２）、T字型ダクト継手（特許文献３）参照）が開示されている。
【先行技術文献】
【特許文献】
【０００３】
【特許文献１】特開平７―１２７８９９号公報
【特許文献２】特開平１０―９６５５号公報
【特許文献３】特開平１０―２０５８６７号公報
【考案の概要】
【考案が解決しようとする課題】
【０００４】
しかしながら、上述した分岐管は、フレキシブルダクトの内周面及び外周面の両方から固定して接続するものであるため、分岐管周辺の重量の増加に伴って変形してフレキシブルダクトの強度が低下するおそれがある。また、空調システムの構築において、フレキシブルダクト全体の重量増加に伴って、天井に吊り下げや支柱に固定するなどして設置することができる十分な支持強度の吊下部材や耐荷重性能を備えた設置箇所の選定や多人数での作業等の施工が必要となり手間が掛かるものである。そのため、上述した分岐管を備えたフレキシブルダクトは、特に図書館や空港などの大きな空間を有し、天井裏や壁などの少ない施設では設置箇所などが制限されているため適していなかった。
【０００５】
そこで本考案においては、ダクト本体に分岐管を設けたことに伴う重量の増加によるダクト本体の変形を防止し、かつ、軽量なダクト本体を実現することを目的とするものである。また、当該ダクト本体を組み合わせることで、空気調和システムの構築において、任意の位置に吹出口を設けることができるとともに、設置場所を選ばずに設置することが可能な空調ダクトを提供することを目的とするものである。
【課題を解決するための手段】
【０００６】
本考案のダクト本体は、上記課題に鑑み、気流を通気する主管と、前記主管の側面に接続された分岐管と、前記主管及び前記分岐管に内挿される補強具と、を備えてなり、
前記補強具は、前記主管の内周面に当接する主管補強部材と、前記分岐管の内周面に当接する分岐管補強部材と、前記主管補強部材及び前記分岐管補強部材を連結する継手部材と、からなることを特徴とするものである。
【０００７】
また、上述した構成に加え、主管補強部材は、主管の分岐用開孔部周辺の内周面に当接する当接部と、主管の内周面に当接する２つの円環状の環状部を有することが好ましい。
【０００８】
また、上述した構成に加え、継手部材は、両端に開孔部を備えた短筒状であり、その一端の開孔部周辺から中心軸方向に突設された複数の突片を有することが好ましい。
【０００９】
また、上述した構成に加え、分岐管補強部材は、両端に開孔部を備えた長筒状であり、その一端に風向風量調整部を有することが好ましい。
【００１０】
また、本考案の空調ダクトは、上述した構成からなるダクト本体を複数連結してなることを特徴とするものである。
【考案の効果】
【００１１】
請求項１―４記載の考案によれば、ダクト本体の外周面に固定部材のない補強具によって、ダクト本体の強度の低下を防止するとともに、ダクト本体を軽量化することが可能である。
【００１２】
また、請求項５記載の考案によれば、ダクト本体が十分に軽量化されているため、従来のビル等の天井裏や壁など配設すること、又は、天井から吊り下げられないような大空間においても、支柱等に固定する吹出孔を備えた空調ダクトを提供することが可能である。
【図面の簡単な説明】
【００１３】
【図１】本考案の実施形態に係るダクト本体の一例を示す分解斜視図である。
【図２】図１のダクト本体の補強具のみを示す分解斜視図である。
【図３】図１のダクト本体を複数連結してなる空調ダクトを示す（ａ）正面図、及び、（ｂ）支持部周辺構造を示す拡大斜視図である。
【考案を実施するための形態】
【００１４】
本考案のダクト本体１０の一例について、図１−２に基づいて詳細に説明する。
本実施形態に示すダクト本体１０は、後述する主管２０、分岐管３０、及び、補強具４０を備えたそれらをひとつのユニットとし工場で製造した後、施工現場において複数のダクト本体１０を連結することで空調ダクトを構成するものである。
【００１５】
ダクト本体１０は、気流を通気する主管２０と、主管２０内の気流を分岐するため該主管２０の側面に接続された分岐管３０と、主管２０及び分岐管３０に内挿される補強具４０と、を備えてなるものである。
【００１６】
主管２０は、両端に開孔部２１、２１を備えた略筒状体で形成されるものであり、分岐管３０を接続するために側面の一部を切り欠いて形成された分岐用開孔部２２を有する。この主管２０は、断熱性及び吸音性を備えたグラスウール等の高密度な素材を主体とし、開孔部２１、２１の直径を６５ｃｍ程度とし、全長１６５ｃｍから２００ｃｍ程度で、側面を外皮材で被覆して形成されるものである。この分岐用開孔部２２は、主管２０の側面方向からみて後述する分岐管３０の開孔部３１よりも大きく、かつ、主管２０の開孔部２１よりも小さい直径の略円形状となるように切り欠いて形成される。なお、この主管２０は、図示しないが、空調ダクトの端部に用いるなどの気流を分岐管３０のみに通気させる場合、主管２０の一方の開孔部２１を閉塞するためにグラスウール等の素材で形成された密度の高い板状の閉塞板を備えてもよい。
【００１７】
分岐管３０は、両端に開孔部３１、３１を備えた略筒状体で形成されるものであり、主管２０の分岐用開孔部２２に密接させるために、主管２０の分岐用開孔部２２周辺の外周面２４に液状の接着材で接着固定するとともに、その周辺を接着テープ等の接着部材３２で貼着されるものである。この分岐管３０の接着固定する側の開孔部３１周辺は、主管２０内部に突出せずに分岐用開孔部２２周辺の内周面２３に沿った湾曲形状に形成される。なお、この分岐管３０は、上述した主管２０と同様に、断熱性及び吸音性を備えたグラスウール等の高密度の素材を略筒状体に形成し、側面を外皮材で被覆したものであり、突出幅２５ｃｍ程度の全長と、直径４５ｃｍ程度の略円形状に開孔されるものである。
【００１８】
次に、上述した主管２０の分岐用開孔部２２に分岐管３０の一端を接着固定した状態を補強するための補強具４０について説明する。
補強具４０は、主管２０の内周面２３に当接する主管補強部材４１と、分岐管２０の内周面２３に当接する分岐管補強部材４３と、主管補強部材４１と分岐管補強部材４３を連結する継手部材４２と、から構成されるものである。
【００１９】
主管補強部材４１は、主管２０の内周面２３に当接するために湾曲形成された薄板状の当接部４１ａと、当接部４１ａの中央付近に形成された開孔部４１ｂと、主管２０の内周面２３上に当接して支持する２つの環状部４１ｃ、４１ｃと、を有するものである。この開孔部４１ｂは、後述する分岐管補強部材４３の開孔部４３ａより小さい直径で開孔するように形成されたものであり、例えば、直径２０ｃｍ程度とすることが好適である。また、環状部４１ｃ、４１ｃは、当接部４１ａの左右のそれぞれ縁部周辺からビス等の固定部材で固定され、主管２０の内周面２３全体に渡って当接するよう円環状に形成されたものである。また、この主管補強部材４１は、主管２０をより一層補強するために、当接部４１ａに対向する位置において環状部４１ｃ、４１ｃ間に架け渡された帯状部４１ｄを有する。なお、この主管補強部材４１は、ステンレス材等の金属材を主体とする薄板を用いて形成されることが好適である。
【００２０】
継手部材４２は、両端に開孔部を備えた短筒状であり、その一端の開孔部周辺から中心軸方向に突設された複数の突片４２ａ、４２ａを有する。この突片４２ａ、４２ａは、ペンチ等の工具によって折り曲げできる程度の強度を備えるものであり、主管補強部材４１の開孔部４１ｂに継手部材４２の主管側の開孔部を差し込んだ後、９０度から１２０度程度の角度で放射方向に折り曲げられた突片４２ａ、４２ａを溶接等で接着固定するものである。また、この継手部材４２の主管側の開孔部には、風量を減少させるための扇形状の羽根体を複数設ける。なお、この継手部材４２は、主管補強部材４１と同様に、ステンレス材等の金属材を主体とする薄板を用いて形成されることが好適である。
【００２１】
分岐管補強部材４３は、両端に開孔部４３ａ、４３ａを備えた長筒状体であり、予め主管２０内に内挿された継手部材４２に対して嵌合させるとともに、ビス等の固定部材で継手部材４２に固定するものである。この開孔部４３ａ、４３ａは、直径４５ｃｍ程度であり、主管２０の開孔部２１、２１に比べて小さい直径にしたものである。また、この分岐管補強部材４３は、分岐管補強部材４３の開孔部４３ａ、４３ａに風向風量調整部４３ｂを取り付けて吹出孔とするために、開孔部４３ａ、４３ａ近傍の内周面上に取付穴を備えた凸片からなる被取付部を有するものである。なお、この分岐管補強部材４３は、プラスチック等の軽量な合成樹脂材を主体とする素材を用いて形成されるものが好適である。
【００２２】
風向風量調整部４３ｂは、環状のノズル４３ｃと、被取付部に取り付けるビス等の固定部材で固定するための取付部４３ｄを有するものである。なお、風向風量調整部４３ｂは、ノズルの代わりに、回転可能な羽根体や、回転板などシャッター等を用いてもよい。
【００２３】
上述した補強具４０は、ダクト本体１０の外周面側の取付部材を必要とせずに、継手部材４２によって分岐管補強部材４３を嵌合保持することができるとともに、ダクト本体１０の外周面の外皮材等を最小限の切り欠きのみで形成された分岐用開孔部２２を設け、かつ、軽量化された補強具４０を内挿することで、主管２０の分岐用開孔部２２周辺及び分岐管３０を補強することが可能である。
【００２４】
次に、上述したダクト本体１０を組み合わせて、吹出孔を備えたダクト本体１０を連結してなる空調ダクトを設置した状態を図３に基いて説明する。
この空調ダクトは、大空間を有する施設において、空調ダクト内の冷気や暖気を通気した後、分岐管３０の吹出孔から吹き出すものである。このダクト本体１０は、複数のダクト本体１０の両端同士を接着テープ等で巻き付けて連結させ一つの直線状にした後、それらの空調ダクトを支柱５０、５０上に平行に複数配設したものである。また、このダクト本体１０は、支柱５０、５０に対して略扇形形状の板材からなる支持部材５１、５１を介してダクト本体１０を支持固定しているものである。
【００２５】
したがって、上述した空調ダクトは、ダクト本体１０が十分に軽量化されているため、従来のビル等の天井裏や壁などに配設すること、又は、天井から吊り下げられないような大空間において、簡易的に設けた支柱５０、５０に対してダクト本体１０の側面方向から支持固定して設置することができる吹出孔を備えた空調ダクトを提供することが可能である。
【符号の説明】
【００２６】
10  ダクト本体、
20  主管、21  開孔部、22  分岐用開孔部、23  内周面、24  外周面、
30  分岐管、31  開孔部、32  接着部材、
40  補強具、
41  主管補強部材、41a  当接部、41b  開孔部、41c  環状部、41d  帯状部、
42  継手部材、42a  突片、
43  分岐管補強部材、43a  開孔部、43b  風向風量調整部、43c  ノズル、43d  取付部、
50  支柱、51  支持部材。
【図１】
0003227519.tif 000003
【図２】
0003227519.tif 000004
【図３】
0003227519.tif 000005